(57)【要約】【課題】  撮影したときの情報を画像ファイル名とリンクさせて、ＰＣやＰＤＡ等の管理端末装置に送信し、必要なときにのみ画像本体を管理端末装置へ送信することにより、管理端末装置の保存領域を効率的に使用するとともに、画像転送に費やされる時間も軽減し、使用効率の良い、画像データ管理システムを実現する。【解決手段】  画像管理端末２とデジタルカメラ３から構成され、通信媒体５を介して互いに接続される画像データ管理システムにおいて、前記デジタルカメラ３と前記画像管理端末２との間のデータ通信により、前記デジタルメラ３から画像データにリンクされた付加情報のみを前記画像管理端末２に送信し、前記画像管理端末２では、必要な画像データのみを、任意のタイミングで前記デジタルカメラ３から取得する画像データ管理システム。【選択図】        図１
2007081892.tif 000002
【特許請求の範囲】
【請求項１】
画像管理端末とデジタルカメラから構成され、通信媒体を介して互いに接続される画像データ管理システムにおいて、
前記デジタルカメラは画像データにリンクされた付加情報を前記画像管理端に送信する付加情報送信手段を備え、前記画像管理端末は必要な画像データを任意のタイミングにより前記デジタルカメラから取得する画像データ取得手段を備え、
前記デジタルメラは前記付加情報送信手段により画像データにリンクされた付加情報を前記画像管理端末に送信することにより、前記画像管理端末は、前記画像データ取得手段により必要な画像データを任意のタイミングにより前記デジタルカメラから取得することを特徴とする画像データ管理システム。
【請求項２】
前記画像管理端末で画像を管理するための付加情報として、画像を撮影した日時情報を用いることを特徴とする請求項１記載の画像データ管理システム。
【請求項３】
前記画像管理端末で画像を管理するための付加情報として、前記デジタルカメラのユーザインターフェースを介して入力されたテキスト文字列を用いることを特徴とする請求項１記載の画像データ管理システム。
【請求項４】
前記画像管理端末で画像を管理するための付加情報として、前記デジタルカメラのユーザインターフェースを介して入力された音声データを用いることを特徴とする請求項１記載の画像データ管理システム。
【請求項５】
前記画像管理端末で画像を管理するための付加情報として、ＧＰＳ機器より入力された位置情報を用いることを特徴とする請求項１記載の画像データ管理システム。
【請求項６】
前記画像管理端末で画像を管理するための付加情報として、バーコードスキャナより入力されたバーコード情報を用いることを特徴とする請求項１記載の画像データ管理システム。
【請求項７】
前記デジタルメラから画像データにリンクされた付加情報を前記画像管理端末に送信するタイミングとしての送信トリガは、前記デジタルカメラでの撮影時であることを特徴とする請求項１記載の画像データ管理システム。
【請求項８】
前記デジタルメラから画像データにリンクされた付加情報を前記画像管理端末に送信するタイミングとしての送信トリガは、前記デジタルカメラのユーザインターフェースを介して、外部からの送信命令を入力した時であることを特徴とする請求項１記載の画像データ管理システム。
【請求項９】
前記デジタルメラから画像データにリンクされた付加情報を前記画像管理端末に送信するタイミングとしての送信トリガは、前記デジタルカメラのユーザインターフェースを介して、外部で予め設定した時間周期毎であることを特徴とする請求項１記載の画像データ管理システム。
【発明の詳細な説明】
【技術分野】
【０００１】
本発明は、デジタルカメラにおいて撮影した画像を、携帯端末装置やＰＣ（パーソナルコンピュータ）等で管理・検索する画像データ管理システムに関するものである。
【背景技術】
【０００２】
近年、デジタルカメラが広く普及しており、撮影した画像ファイルをＰＣやＰＤＡ（携帯情報端末）等で管理する技術も様々な方式がある。これらの方式の中でＥＸＩＦマーカに含まれる情報（以下、ＥＸＩＦ情報）を利用して管理する方式も近年ではよく見られる。しかしながら、ＥＸＩＦ情報を用いて画像ファイルを管理する場合、全ての画像ファイルを管理する端末側に転送しなければならない。これは、例えば、外出先で撮影した画像を、その場でＰＤＡ等の比較的保存領域の少ない携帯情報端末で管理したい場合には不向きである。
例えば、出先で多数の撮影を行い、これら画像をその場でＰＤＡにおいて撮影時間でソートを行い、１０分おきの画像を取り出すことを仮定する。この場合、全ての画像の撮影時間情報は必要だが、画像本体は１０分おきの画像だけで良いにも拘わらず、ＰＤＡには全ての画像を転送しなければならない。
また、他の例として、ＧＰＳ受信機から取得した位置情報をＧＰＳ受信機からデジタルカメラへ送信し、デジタルカメラにおいて、写真撮影時にこの位置情報をＥＸＩＦ情報に書き込むシステムを考える。このシステムで撮影した画像には全て、撮影した場所の位置情報がＥＸＩＦ情報に含まれる。これら画像の位置情報を、ＰＤＡにおいて、地図情報と連携して表示し、或る特定の領域内の画像のみを取り出すことを仮定する。この場合も、撮影した全ての画像の位置情報は必要だが、画像本体は特定領域内で撮影された画像だけでよい。それにも拘わらず、ＰＤＡには全ての画像を転送しなければならない。
【発明の開示】
【発明が解決しようとする課題】
【０００３】
しかしながら、ＰＤＡの画像保存領域が少ないことを考慮すると、必要な画像だけを転送するべきである。また、デジタルカメラからＰＤＡへの画像転送を無線通信等で行う場合に転送時間が長いことを考慮しても、同様なことがいえる。
そこで、本発明の目的は、上述した実情を考慮して、撮影したときの情報を画像ファイル名とリンクさせて、ＰＣやＰＤＡ等の管理端末装置に送信し、必要なときにのみ画像本体を管理端末装置へ送信することにより、管理端末装置の保存領域を効率的に使用するとともに、画像転送に費やされる時間も軽減し、使用効率の良い、画像データ管理システムを提供することにある。
【課題を解決するための手段】
【０００４】
上記の課題を解決するために、請求項１に記載の発明は、画像管理端末とデジタルカメラから構成され、通信媒体を介して互いに接続される画像データ管理システムにおいて、前記デジタルカメラは画像データにリンクされた付加情報を前記画像管理端に送信する付加情報送信手段を備え、前記画像管理端末は必要な画像データを任意のタイミングにより前記デジタルカメラから取得する画像データ取得手段を備え、前記デジタルメラは前記付加情報送信手段により画像データにリンクされた付加情報を前記画像管理端末に送信することにより、前記画像管理端末は、前記画像データ取得手段により必要な画像データを任意のタイミングにより前記デジタルカメラから取得することを特徴とする。
また、請求項２に記載の発明は、前記画像管理端末で画像を管理するための付加情報として、画像を撮影した日時情報を用いる請求項１記載の画像データ管理システムを特徴とする。
また、請求項３に記載の発明は、前記画像管理端末で画像を管理するための付加情報として、前記デジタルカメラのユーザインターフェースを介して入力されたテキスト文字列を用いる請求項１記載の画像データ管理システムを特徴とする。
また、請求項４に記載の発明は、前記画像管理端末で画像を管理するための付加情報として、前記デジタルカメラのユーザインターフェースを介して入力された音声データを用いる請求項１記載の画像データ管理システムを特徴とする。
また、請求項５に記載の発明は、前記画像管理端末で画像を管理するための付加情報として、ＧＰＳ機器より入力された位置情報を用いる請求項１記載の画像データ管理システムを特徴とする。
また、請求項６に記載の発明は、前記画像管理端末で画像を管理するための付加情報として、バーコードスキャナより入力されたバーコード情報を用いる請求項１記載の画像データ管理システムを特徴とする。
また、請求項７に記載の発明は、前記デジタルメラから画像データにリンクされた付加情報を前記画像管理端末に送信するタイミングとしての送信トリガは、前記デジタルカメラでの撮影時である請求項１記載の画像データ管理システムを特徴とする。
また、請求項８に記載の発明は、前記デジタルメラから画像データにリンクされた画像付加情報を前記画像管理端末に送信するタイミングとしての送信トリガは、前記デジタルカメラのユーザインターフェースを介して、外部からの送信命令を入力した時である請求項１記載の画像データ管理システムを特徴とする。
また、請求項９に記載の発明は、前記デジタルメラから画像データにリンクされた付加情報を前記画像管理端末に送信するタイミングとしての送信トリガは、デジタルカメラのユーザインターフェースを介して、外部で予め設定した時間周期毎である請求項１記載の画像データ管理システムを特徴とする。
【発明の効果】
【０００５】
本発明によれば、デジタルカメラを画像管理端末で管理する際、デジタルカメラから画像管理端末へ転送する情報量を軽減することが可能であり、また多様な状況に対して効率的な画像データ管理システムを提供することができる。
【発明を実施するための最良の形態】
【０００６】
以下、図面を参照して、本発明の実施の形態を詳細に説明する。図１は本発明の画像データ管理システムの全体構成を示す概略図である。画像データ管理システム１において、例えば、ＰＤＡやＰＣ等に該当する画像管理端末２、デジタルカメラ３が示される。
撮影時に付加する画像の付加情報の情報元（画像データ管理用情報機器）４には、例えば、バーコードスキャナ、ＧＰＳ受信機等がある。符号５は画像管理端末２とデジタルカメラ３、またはデジタルカメラ３と情報元４を結ぶ通信媒体であり、例えば、ブルートゥース（Bluetooth）規格に準拠した無線通信等が該当する。
図２はデジタルカメラの外観を示す上面図である。図３はデジタルカメラの外観を示す正面図である。図４はデジタルカメラの外観を示す裏面図である。図５はデジタルカメラの機能ブロック図である。
先ず、図２乃至図４を参照して、操作部キーユニット（ＳＷ１〜ＳＷ１３）について説明する。デジタルカメラ３の操作部キーユニットは、ＳＷ１でレリーズシャッタ、ＳＷ２でモードダイアル、ＳＷ３でズームスイッチ（ＷＩＤＥ）、ＳＷ４でズームスイッチ（ＴＥＬＥ）、ＳＷ５でセルフタイマ／削除スイッチ、ＳＷ６でメニュースイッチ、ＳＷ７で上／ストロボスイッチ、ＳＷ８で右スイッチ、ＳＷ９でディスプレイスイッチ、ＳＷ１０で下／マクロスイッチ、ＳＷ１１で左／画像確認スイッチ、ＳＷ１２でＯＫスイッチ、そしてＳＷ１３で電源スイッチを示している。
図２乃至図４には、さらに、ＳＤカード／電池蓋５０、光学ファインダ５２、測距ユニット１１、後述するリモコン受光部６、鏡筒ユニット７、サブＬＣＤ９、ストロボ発光部１０、ＡＦ（自動焦点）ＬＥＤ１２、ストロボＬＥＤ１３、ＬＣＤモニタ２８が示されている。
【０００７】
図２乃至図５を参照して、鏡胴ユニット７は、被写体の光学画像を取り込むズームレンズ７−１ａ、ズーム駆動モータ７−１ｂからなるズーム光学系７−１、フォーカスレンズ７−２ａ、フォーカス駆動モータ７−２ｂからなるフォーカス光学系７−２、絞り７−３ａ、絞りモータ７−３ｂからなる絞りユニット７−３、メカシャッタ７−４ａ、メカシャッタモータ７−４ｂからなるメカシャッタユニット７−４、各モータを駆動するモータドライバ７−５を有している。
そして、モータドライバ７−５は、リモコン受光部６入力や操作部キーユニット（ＳＷ１〜ＳＷ１３）の操作入力に基づく、後述するデジタルスチルカメラプロセッサ１６内にあるＣＰＵブロック１６−３からの駆動指令により駆動制御される。
ＲＯＭ１８には、ＣＰＵブロック１６−３にて解読可能なコードで記述された、制御プログラムや制御するためのパラメータが格納されている。このデジタルカメラの電源がオン状態になると、前記プログラムは図示してないメインメモリにロードされる。
ＣＰＵブロック１６−３はそのプログラムに従って装置各部の動作を制御するとともに、制御に必要なデータ等を、一時的にＲＡＭ１７、及び後述するデジタルスチルカメラプロセッサ１６内にあるローカルＳＲＡＭ１６−４に保存する。
ＲＯＭ１８に書き換え可能なフラッシュＲＯＭを使用することで、制御プログラムや制御するためのパラメータを変更することが可能となり、機能のバージョンアップが容易に行える。
ＣＣＤ８は光学画像を光電変換するための固体撮像素子である。Ｆ／Ｅ（フロントエンド）−ＩＣ１４は、画像ノイズ除去用相関二重サンプリングを行うＣＤＳ１４−１、利得調整を行うＡＧＣ１４−２、デジタル信号変換を行うＡ／Ｄ１４−３を有している。
また、Ｆ／Ｅ（フロントエンド）−ＩＣ１４は、ＣＣＤ１制御（信号処理）ブロック１６−１から、垂直同期信号（以下、ＶＤと記す）、水平同期信号（以下、ＨＤと記す）の供給を受け、ＣＰＵブロック１６−３によって制御されるＣＣＤ８、及びＦ／Ｅ−ＩＣ１４の駆動タイミング信号を発生するＴＧ１４−４を有している。
【０００８】
デジタルスチルカメラプロセッサ１６は、ＣＣＤ８よりＦ／Ｅ−ＩＣ１４の出力データにホワイトバランス設定やガンマ設定を行い、また、前述したように、ＶＤ信号、ＨＤ信号を供給するＣＣＤ１制御ブロック１６−１、フィルタリング処理により、輝度データ・色差データへの変換を行うＣＣＤ２制御（信号処理）ブロック１６−２、前述した装置各部の動作を制御するＣＰＵブロック１６−３、前述した制御に必要なデータ等を、一時的に、保存するローカルＳＲＡＭ１６−４を含んでいる。
デジタルスチルカメラプロセッサ１６は、また、パソコンなどの外部機器とＵＳＢ通信を行うＵＳＢブロック１６−５、パソコンなどの外部機器とシリアル通信を行うシリアルブロック１６−６、ＪＰＥＧ圧縮・伸張を行うＪＰＥＧ  ＣＯＤＥＣ（ジェイペグ・コーデック）ブロック１６−７、画像データのサイズを補間処理により拡大／縮小するリサイズブロック１６−８、画像データを液晶モニタやＴＶなどの外部表示機器に表示するためのビデオ信号に変換するＴＶ信号表示ブロック１６−９、撮影された画像データを記録するメモリカードの制御を行うメモリカードコントローラブロック１６−１０を有している。
ＳＤＲＡＭ１５は、前述したデジタルスチルカメラプロセッサ１６で画像データに各種処理を施す際に、画像データを一時的に保存する。保存される画像データは、例えば、ＣＣＤ８から、Ｆ／Ｅ−ＩＣ１４を経由して取り込んで、ＣＣＤ１制御ブロック１６−１でホワイトバランス設定、ガンマ設定が行われた状態の「ＲＡＷ−ＲＧＢ画像データ」やＣＣＤ２制御ブロック１６−２で輝度データ・色差データ変換が行われた状態の「ＹＵＶ画像データ」、ＪＰＥＧ  ＣＯＤＥＣブロック１６−７で、ＪＰＥＧ圧縮された「ＪＰＥＧ画像データ」などである。
【０００９】
メモリカードスロット３０は着脱可能なメモリカードを装着するためのスロットである。メモリカードスロット３０は、メモリカード以外に、着脱可能なＬＡＮカードや、無線ＬＡＮカードや、ブルートゥースカードなどのＩＯカードも装着可能とする。撮影された画像は、ＩＯカード経由で外部機器に転送することを可能とする。
ブルートゥース回路３３は外部機器と無線通信を行うための無線通信回路である。撮影された画像、及びその他の情報は、ブルートゥース回路３３経由で、外部機器と送受信することが可能となる。
ブルートゥース回路３３はＧＰＳ機器やバーコードスキャナ等の機器とも通信が可能であり、これらの機器から取得した情報を画像付加情報としてＳＤＲＡＭ１５へ一時的に保存し、画像撮影時に画像データへ付加して保存することを可能とする。
また、画像付加情報及び画像データのファイル名と組み合わせた情報をブルートゥース回路３３経由で外部機器に転送することも可能である。また、外部機器から、特定の画像データの送信要求をブルートゥース回路３３経由で受信することも可能である。この要求を受信したときは、対応する画像データをブルートゥース回路３３経由で要求された外部機器へ送信することができる。
内蔵メモリ２９は、前述したメモリカードスロット３０にメモリカードが装着されていない場合でも、撮影した画像データを記憶できるようにするためのメモリである。
【００１０】
ＬＣＤドライバ２０は後述するＬＣＤモニタ２８を駆動するドライブ回路であり、ＴＶ信号表示ブロック１６−９から出力されたビデオ信号を、ＬＣＤモニタ２８に表示するための信号に変換する機能も有している。
ＬＣＤモニタ２８は、撮影前に被写体の状態を監視・撮影した画像を確認し、メモリカードや前述した内蔵メモリ２９に記録した画像データを表示するなどの役割を実施するためのモニタである。
ビデオＡＭＰ２６は、ＴＶ信号表示ブロック１６−９から出力されたビデオ信号を、７５Ωインピーダンス変換するためのアンプであり、ビデオジャック２７はＴＶなどの外部表示機器と接続するためのジャックである。ＵＳＢコネクタ３１はパソコンなどの外部機器とＵＳＢ接続を行うためのコネクタである。
シリアルドライバ回路３２−１は、パソコンなどの外部機器とシリアル通信を行うために、前述したシリアルブロック１６−６の出力信号を電圧変換するための回路であり、また、ＲＳ−２３２Ｃコネクタ３２−２はパソコンなどの外部機器とシリアル接続を行うためのコネクタである。
サブＣＰＵ１９はＲＯＭ・ＲＡＭをワンチップに内蔵したＣＰＵであり、操作キーユニット（ＳＷ１〜ＳＷ１３）やリモコン受光部６の出力信号をユーザの操作情報として、前述したＣＰＵブロック１６−３に出力する。また、このＣＰＵブロック１６−３から出力されるカメラの状態を、後述するサブＬＣＤ９、ＡＦ（自動焦点）ＬＥＤ１２、ストロボＬＥＤ１３、ブザー２１の制御信号に変換して、出力する。
サブＬＣＤ９は、例えば、撮影可能枚数など表示するための表示部である。ＬＣＤドライバ２０は、前述したサブＣＰＵ１９の出力信号により、前述したサブＬＣＤ９を駆動するためのドライブ回路である。
【００１１】
ＡＦ  ＬＥＤ１２は撮影時の合焦状態を表示するためのＬＥＤであり、また、ストロボＬＥＤ１３はストロボ充電状態を表すためのＬＥＤである。なお、このＡＦ  ＬＥＤ１２とストロボＬＥＤ１３を、メモリカードアクセス中などの別の表示用途に使用しても良い。操作キーユニット（ＳＷ１〜ＳＷ１３）は、ユーザが操作するキー回路であり、リモコン受光部６は、ユーザが操作したリモコン送信機の信号の受信部である。
音声記録ユニット２３は、ユーザが音声信号を入力するマイク２３−３、入力された音声信号を増幅するマイクＡＭＰ２３−２、増幅された音声信号を記録する音声記録回路２３−３からなる。
音声再生ユニット２４は、記録された音声信号をスピーカから出力できる信号に変換する音声再生回路２４−１、変換された音声信号を増幅し、スピーカを駆動するためのオーディオＡＭＰ２４−２、音声信号を出力するスピーカ２４−３からなる。
図６は画像管理端末の機能ブロック図である。画像管理端末としては、例えばＰＤＡ情報端末装置などが挙げられる。図６を参照して、ＰＤＡ情報端末装置の動作を説明する。
図６に示すＰＤＡ情報端末装置は、システムバス３４、ＣＰＵ３５、プログラムを格納するＰＲＯＭ３６、プログラムやデータのワーク領域のＲＡＭ３７、システムファイル、データファイルなどを格納する内蔵メモリ３８、ハードキー４０を検出するキーＩ／Ｆ制御部３９、ＬＣＤ部４１、ＣＦ（コンパクトフラッシュ（登録商標））制御部４２、ＣＦＩ／Ｆ４３、このＣＦＩ／Ｆ４３に挿入される通信カード４４、ＳＤ制御部４５、ＳＤＩ／Ｆ４６、このＳＤＩ／Ｆ４６に挿入されるＳＤ（セキュアデジタル）メモリカード４７、マイク４９、このマイク４９からのアナログ音声信号をデジタル変換するＡ／Ｄ変換部４８から構成されている。
【００１２】
図７はＧＰＳ機器とデジタルカメラの通信概念を示す概略図である。本発明を説明するための１つのシナリオとして、或る市街の落書き状況を調査するために、調査員が市街の落書き個所を撮影するとともに、その場で落書きの分布状況を調査し、必要な地域に関しては落書き写真も含めて、その場から調査会社のサーバへ電子メールで送信するというシナリオを挙げる。このシナリオを実施の形態として下記に本発明の詳細を説明する。
調査員は市街へ出向き落書きされている個所を探す。調査員が携帯装備する機器は、ブルートゥース通信機能を備えた、図１に示すような、デジタルカメラ３、ＰＤＡ２、ＧＰＳ機器４の３点である。またＰＤＡ２には外出先からでもインターネットへ接続可能な機能、及び地図アプリケーションを備えている。地図アプリケーションの詳細機能に関しては後述する。
デジタルカメラ３、ＰＤＡ（図７には図示せず）、ＧＰＳ機器（ＧＰＳ受信機）４は、調査前に予めブルートゥース接続をし、調査中は常に接続状態にあるようにする。ＧＰＳ機器４については、調査中は電源を入れておき、位置情報をＧＰＳ衛星から受信可能な状態にしておく。
また、ＧＰＳ機器４は、デジタルカメラ３とブルートゥース接続がされているときは、周期的に位置情報がＧＰＳ機器４からデジタルカメラ３へ送信される機能を有している。
一方、デジタルカメラ３では、ブルートゥース回路（通信媒体）５を経由して受信した位置情報はＳＤＲＡＭ（図５の１５）へ一時的に保存され、位置情報を受信する毎に上書き保存される。
【００１３】
図８はデジタルカメラの動作フローを示すフローチャートである。図８を参照して、デジタルカメラの動作フローを説明する。まず、ＧＰＳ機器及びＰＤＡとブルートゥース接続を開始する（Ｓ１）。次に、ＧＰＳ機器から位置情報を受信したかどうかを判断する（Ｓ２）。
位置情報を受信したならば、ＲＡＭにおける位置情報保存領域に位置情報を上書き保存する（Ｓ３）。撮影を実行し（Ｓ４）、位置情報が有るかどうか判断する（Ｓ５）。位置情報が有るならば、画像ファイルに位置情報を含めて保存する（Ｓ６）。次いで、ＰＤＡに画像管理用情報（ファイル名＋位置情報）を送信する（Ｓ７）。
ステップ（Ｓ２）で位置情報を受信していないならば、シャッタボタンが押下されたかどうか判断し（Ｓ８）、ＰＤＡからの画像データの送信要求を受信したかどうか判断する（Ｓ９）。受信したならば、要求された画像をＰＤＡへ送信する（Ｓ１０）。ステップ（Ｓ５）で位置情報がないならば、画像ファイルに位置情報を含めずに保存する。
図９はＰＤＡの動作の流れを示すフローチャートである。図９を参照して、ＰＤＡの動作フローを説明する。まず、ＧＰＳ機器及びＰＤＡとブルートゥース接続を開始する（Ｓ２０）。次に、デジタルカメラから画像管理用情報を受信したかどうかを判断する（Ｓ２１）。受信したならば、受信した画像管理用情報を画像情報リストに追加する。
図１０はＥＸＩＦ画像におけるＧＰＳ情報保存領域を示す概念図である。調査員が市街にて落書きを見つけると、落書き個所の写真を撮影する。デジタルカメラ３（図７参照）では、撮影時に取得した位置情報を、画像ファイルにおけるＥＸＩＦヘッダ中のＧＰＳ情報保存領域に保存する。
その後、デジタルカメラ３はこの位置情報と画像データのファイル名を組み合わせた情報を画像管理用情報としてＳＤＲＡＭへ保存するとともに、保存した画像管理用情報をブルートゥース回路（図５の３３）経由でＰＤＡへ送信する。
さらに述べれば、デジタルメラから画像データにリンクされた付加情報のみをＰＤＡに送信し、このＰＤＡでは、付加情報を用いて画像を管理し、必要な画像データのみを、任意のタイミングでデジタルカメラから取得する。この場合に、画像を管理するための付加情報としてＧＰＳ機器より入力された位置情報を用いる。
【００１４】
図１１は画像管理用情報を示す概念図である。図１２は画像情報リストの例を示す図である。図１１の画像管理用情報はデジタルカメラからＰＤＡへ送信される。図１２の画像情報リストはＰＤＡ内に保存される。
画像管理用情報をＰＤＡへ送信するタイミングは、デジタルカメラのプロセッサ（図５の１６）がＳＤＲＡＭ内の未送信管理用情報の有無を確認して、未送信管理用情報が存在したときが考えられる。
ＰＤＡへの送信は、管理用情報がＳＤＲＡＭ（図５の１５）に保存された直後、あるいは、ユーザがデジタルカメラのＵＩ（ユーザインターフェース）を介して管理用情報送信の命令を入力したとき、あるいは、予め送信する周期を決めておき、一定時間が経過してから、実施される。
さらに述べれば、ＰＤＡに送信するタイミングとしては、デジタルメラから画像データにリンクされた付加情報のみをデジタルカメラで撮影毎に送信する。したがって、付加情報の送信トリガは撮影時である。また、ＰＤＡに送信するタイミングとしては、デジタルメラから画像データにリンクされた付加情報のみをデジタルカメラのユーザインターフェース（ＵＩ）を介して、ユーザが送信命令を入力したときに送信する。したがって、付加情報の送信トリガはユーザ（外部）からの送信命令時である。
さらに、ＰＤＡに送信するタイミングとしては、デジタルメラから画像データにリンクされた付加情報のみをデジタルカメラのユーザインターフェース（ＵＩ）を介して、ユーザ側（外部）で予め設定した時間周期毎に送信する。したがって、付加情報の送信トリガはタイマ設定である。
図１３は地図アプリケーションを示す機能ブロック図である。図１４は地図アプリケーションの画面例を示す概略図である。図１５は全体の撮影時のデータの流れを示す概念図である。
図１３において、地図アプリケーションの機能ブロックには、電子メールによる画像送信５３、地図データ５４、地図表示エンジン５５、入出力インターフェース５６、画像データキャッシュ領域５７、画像情報リスト５８、画像検索エンジン５９の各ブロックが示されている。
【００１５】
図１５を参照して、調査員はある程度の数（数十箇所程度）の落書き個所の撮影を行ったら、ＰＤＡ２上で落書き個所の分布を調べる。図１４に示すように、ＰＤＡ２における地図アプリケーションは、ＰＤＡ２の画面上に地図を表示し、ＧＰＳ受信機４からの位置情報を、通信媒体５を介して入力すれば、その位置を地図上に表示することができる機能を有する。
また、ＰＤＡ２の画面上に表示されている地図の特定領域を選択する（タッチペン等で領域指定）と、画像情報リスト５８を利用して、その領域内で撮影された画像について検索することができる。これら地図アプリケーション機能を用いて調査員は落書きの分布情報をＰＤＡ２によって一目で調査である。
また、地図アプリケーションは画像情報リスト５８を用いて検索を実施し、実際の画像が必要になったときのみ、デジタルカメラ３に対して該当する画像の送信要求を行うことによって画像データ本体をデジタルカメラ３から取得する。取得した画像は画像キャッシュ領域（図１３）に一時的に保存しておき、取得画像がある程度の量に達したら、古い順に上書き消去する。
調査員は、ＰＤＡ２上で分布状況を調べたら、特定の地域の画像データをＰＤＡ２からインターネットを経由して調査会社のサーバへ送信する。以上が本発明における画像管理用の付加情報としてＧＰＳ情報を用いた場合の実施の形態である。
本発明においては、画像管理用の付加情報として、ＧＰＳ情報のほかに、撮影日時、カメラメモ情報、バーコード情報を用いることも可能である。画像管理用の付加情報として撮影日時を用いた場合は、ＧＰＳ機器のような、外部から付加情報を取得する機器は不要であり、カメラ内部の時計から得られる撮影日時情報を用いればよい。
また、画像管理用の付加情報としてカメラメモを用いた場合は、デジタルカメラにカメラメモ機能を持たせ、この機能によって得られた情報が画像管理用の付加情報となる。以下にカメラメモ機能について説明する。
カメラメモ機能とは、図５に示した内蔵メモリ２９、もしくはメモリカードスロット３０経由で装着されたメモリカードにカメラメモデータを格納することである。カメラメモデータとは、撮影画像に添付するテキスト情報、音声データ、他情報等である。
デジタルカメラは、電源オンのシステム起動時に、内蔵メモリ２９、もしくはメモリカードスロット３０経由で装着されたメモリカードに事前に格納されているカメラメモデータを、ＲＡＭ１７にロードしてシステム内に取り込む。取り込まれたカメラメモデータは、ユーザの操作によって選択可能とする。
選択されたカメラメモデータは、撮影時に、カメラメモデータとして、取り込んだ画像情報と一緒に、内蔵メモリ２９、もしくはメモリカードスロット３０経由で装着されたメモリカードに記録される。
【００１６】
図１６は本発明の実施の形態であるカメラメモデータの表示方式を示す図である。図１６のカメラメモＯＳＤサンプルにおいて、カメラメモデータは、データ中項目と、小項目とに別れる。図１６のカテゴリ１、カテゴリ２、カテゴリ３、カテゴリ４、カテゴリ５は中項目に該当する。中項目の下には小項目がリンクされる。
例えば、図１６のカメラメモ０１、カメラメモ２３、カメラメモ３２、カメラメモ３３、カメラメモ１４は小項目に該当する。図１６の左画面に表示されたカテゴリ１、カテゴリ２、カテゴリ３、カテゴリ４、カテゴリ５の中項目データと、カメラメモ０１、カメラメモ２３、カメラメモ３２、カメラメモ３３、カメラメモ１４の小項目データは、撮影時にカメラメモデータとして、取り込んだ画像情報と一緒に、内蔵メモリ２９もしくはメモリカードスロット３０経由で装着されたメモリカードに記録される。
また、図１６の右画面は、カテゴリ１、カテゴリ２、カテゴリ３、カテゴリ４、カテゴリ５の中項目にリンクされる小項目を選択可能とする。各カテゴリには、カメラメモ０１〜カメラメモ５０まで事前にシステムに登録されている。
テンポラリは、システムに事前に登録されているデータ以外に、図５の操作キーユニット（ＳＷ１〜ＳＷ１３）を使って情報を一時的に入力する。レコードは、カメラメモ０１〜カメラメモ５０、テンポラリ情報以外に、マイク２３−３、マイクＡＭＰ２３−２、音声記録回路２３−１を使って、音声データなどの大容量データを登録し選択可能にする。
図１７は本発明の実施の形態であるカメラメモデータのデータ構造を示す図である。図１７に示したカメラメモデータ構造は、図１６に示した表示方式に対応している。例えば、カテゴリデータの登録件数は最大５件で、最大データ長を３２バイトとする。カメラメモデータの登録件数は最大５０件で、最大データ長を３２バイトとする。
サウンドメモデータの登録件数は最大５件で、最大データ長を６４Ｋバイトとする。カテゴリデータ、カメラメモデータ、テンポラリデータは、テキスト形式の情報とし、サウンドメモデータはＰＣＭ形式のデータとする。
図１６及び図１７で示したカメラメモデータの形式は、あくまでも１つの実施の形態であり、テキスト形式、ＰＣＭ形式などの情報フォーマット、登録最大件数、データ最大長は本発明にて制限するものでは無い。
【図面の簡単な説明】
【００１７】
【図１】本発明の画像データ管理システムの全体構成を示す概略図。
【図２】デジタルカメラの外観を示す上面図。
【図３】デジタルカメラの外観を示す正面図。
【図４】デジタルカメラの外観を示す裏面図。
【図５】デジタルカメラの機能ブロック図。
【図６】画像管理端末の機能ブロック図。
【図７】ＧＰＳ機器とデジタルカメラの通信概念を示す概略図。
【図８】デジタルカメラの動作フローを示すフローチャート。
【図９】ＰＤＡの動作の流れを示すフローチャート。
【図１０】ＥＸＩＦ画像におけるＧＰＳ情報保存領域を示す概念図。
【図１１】画像管理用情報を示す概念図。
【図１２】画像情報リストの例を示す図。
【図１３】地図アプリケーションを示す機能ブロック図。
【図１４】地図アプリケーションの画面例を示す概略図。
【図１５】全体の撮影時のデータの流れを示す概念図。
【図１６】本発明の実施の形態であるカメラメモデータの表示方式を示す図。
【図１７】本発明の実施の形態であるカメラメモデータのデータ構造を示す図。
【符号の説明】
【００１８】
１  画像データ管理システム、２  画像管理端末（ＰＤＡ）、  ３  デジタルカメラ、４  画像管理用情報機器（ＧＰＳ機器）、５  通信媒体
【図１】
2007081892.tif 000003
【図２】
2007081892.tif 000004
【図３】
2007081892.tif 000005
【図４】
2007081892.tif 000006
【図５】
2007081892.tif 000007
【図６】
2007081892.tif 000008
【図７】
2007081892.tif 000009
【図８】
2007081892.tif 000010
【図９】
2007081892.tif 000011
【図１０】
2007081892.tif 000012
【図１１】
2007081892.tif 000013
【図１２】
2007081892.tif 000014
【図１３】
2007081892.tif 000015
【図１４】
2007081892.tif 000016
【図１５】
2007081892.tif 000017
【図１６】
2007081892.tif 000018
【図１７】
2007081892.tif 000019